(57)【特許請求の範囲】
【請求項１】
天井に固定される支持体と、支持体より垂下された紐体と、紐体の先端に昇降自在に設けられた本体と、光ファイバコードの両端部を除く部位が螺旋状に形成されてなり一端部が支持体内に収納されるとともに他端部が本体内に導入された光カールコードと、両端部を除く部位が螺旋状に形成されてなり一端部が支持体内に収納されるとともに他端部が本体内に導入された電源カールコードと、本体内で光カールコードの端部に接続され光コネクタプラグが挿抜自在に接続される光コネクタレセプタクル部と、本体内で電源カールコードの端部に接続され差込プラグが挿抜自在に接続されるコンセント部とを備え、電源カールコード並びに光カールコードの内側に紐体が挿通されてなることを特徴とする天井吊下型コンセント。
【発明の詳細な説明】
【技術分野】
【０００１】
本発明は、天井吊下型コンセントに関するものである。
【背景技術】
【０００２】
従来、天井に固定される支持体と、支持体より垂下された紐体と、紐体の先端に昇降自在に設けられた本体と、両端部を除く部位が螺旋状に形成されてなり一端部が支持体内に収納されるとともに他端部が本体内に導入された電源カールコードと、本体内で電源カールコードの端部に接続され差込プラグが挿抜自在に接続されるコンセント部とを備え、電源カールコードの内側に紐体が挿通されてなる天井吊下型コンセントが提供されている（特許文献１参照）。かかる天井吊下型コンセントは、利用しないときには天井近くに本体を引き上げておくことができ、利用する際に適宜、任意の位置まで本体を引き下げて紐体により保持させておくことができるようになっている。
【特許文献１】実願昭５６−６４１１７号（実開昭５７−１７６０７９号）のマイクロフィルム
【発明の開示】
【発明が解決しようとする課題】
【０００３】
ところで、家庭内においてインターネットや家庭内ＬＡＮが急速に普及したことに伴い、従来例のように給電用の差込プラグが接続可能なコンセント部だけでなく、例えば、ＬＡＮケーブルに付設されているモジュラプラグが接続可能なモジュラジャック等の情報コンセントを本体に付加してほしいとの要望が強まっている。
【０００４】
しかしながら、給電用のラインと情報通信用の電気信号のラインとが近接して配置された場合、互いにノイズの影響を及ぼし合う虞があった。
【０００５】
本発明は上記事情に鑑みて為されたものであり、その目的は、ノイズの影響を回避しつつ給電と情報通信の双方が両立可能な天井吊下型コンセントを提供することにある。
【課題を解決するための手段】
【０００６】
請求項１の発明は、上記目的を達成するために、天井に固定される支持体と、支持体より垂下された紐体と、紐体の先端に昇降自在に設けられた本体と、光ファイバコードの両端部を除く部位が螺旋状に形成されてなり一端部が支持体内に収納されるとともに他端部が本体内に導入された光カールコードと、両端部を除く部位が螺旋状に形成されてなり一端部が支持体内に収納されるとともに他端部が本体内に導入された電源カールコードと、本体内で光カールコードの端部に接続され光コネクタプラグが挿抜自在に接続される光コネクタレセプタクル部と、本体内で電源カールコードの端部に接続され差込プラグが挿抜自在に接続されるコンセント部とを備え、電源カールコード並びに光カールコードの内側に紐体が挿通されてなることを特徴とする。
【発明の効果】
【０００７】
請求項１の発明によれば、情報通信用の媒体として光ファイバを用いているため、給電用のラインとの間で互いにノイズの影響を及ぼし合う虞がないから、ノイズの影響を回避しつつ給電と情報通信の双方が両立可能な天井吊下型コンセントを提供することができる。しかも、紐体を電源カールコード並びに光カールコードの内側に挿通しているから、紐体を保護して耐久性の向上が図れる。
【発明を実施するための最良の形態】
【０００８】
以下、図１〜図４を参照して本発明の実施形態を詳細に説明する。
【０００９】
本実施形態は、天井に固定される支持体１と、支持体１より垂下された紐体２と、紐体２の先端に昇降自在に設けられた本体３と、光ファイバコードの両端部を除く部位が螺旋状に形成されてなり一端部が支持体１内に収納されるとともに他端部が本体３内に導入された光カールコード４と、両端部を除く部位が螺旋状に形成されてなり一端部が支持体１内に収納されるとともに他端部が本体３内に導入された電源カールコード５と、本体３内で光カールコード４の端部に接続され光コネクタプラグ（図示せず）が挿抜自在に接続される光コネクタレセプタクル部（以下、光レセプタクル部と略す。）６と、本体３内で電源カールコード５の端部に接続され差込プラグ（図示せず）が挿抜自在に接続されるコンセント部７とを備えている。
【００１０】
支持体１は、略半球状に形成された合成樹脂成形品からなり、下面中央に設けられた孔（図示せず）から紐体２、光カールコード４、電源カールコード５がそれぞれ垂下されており、内側に収納された取付金具（図示せず）によって天井に固定されている。ここで、支持体１に覆われた天井面には給電用の埋込コンセント（図示せず）並びに光コネクタのアダプタ（図示せず）が埋込配設されており、電源カールコード５の一端部に付設されている差込プラグ（図示せず）を埋込コンセントに差込接続することで電源カールコード５が埋込コンセントを介して商用電源と結線され、光カールコード４の一端部に付設されている光コネクタのプラグ（図示せず）をアダプタに差込接続することで光カールコード４がアダプタを介して天井裏に配線されている光ファイバコードと結線される。なお、光カールコード４は紐体２とともに電源カールコード５の内側に挿通されており、電源カールコード５によって光カールコード４並びに紐体２が保護されるとともに、電源カールコード５によって光カールコード４が保護されている。
【００１１】
本体３は、合成樹脂成形品からなるボディ３ａとカバー３ｂを結合して構成される。ボディ３ａ並びにカバー３ｂは、互いに平面視釣鐘状であって結合面が開放された略同一形状に形成され、結合面同士を突き合わせるようにして取付ねじ（図示せず）により結合される。また、本体３の上面中央からは略円筒形状の首部３ｃが突出しており、首部３ｃを貫通する孔を通して紐体２が本体３の外へ引き出されている。さらに、本体３の底面には光レセプタクル部６並びにコンセント部７が前面を露出させるようにして取り付けられる。なお、光カールコード４並びに電源カールコード５は首部３ｃの根元部分に設けられた孔（図示せず）を通して本体３の外へ引き出されている。
【００１２】
本体３内には、本体３の外へ引き出される紐体２の長さを変えることで本体３を昇降させる昇降機構が納装されている。かかる昇降機構は、回転することで紐体２を巻き取る巻き取りリール１０、巻き取りリール１０の回転を規制するストッパばね１１、ストッパばね１１による巻き取りリール１０の規制を解除して本体３を上昇せしめるためのカム軸１２等で構成される。巻き取りリール１０は、一面の中心に突出する回転軸１３をボディ３ａ内面に、他面中央に突出する筒軸１４をカバー３ｂ内面に、それぞれ嵌合させて本体３内へ回転自在に装着される。紐体２の下端は巻き取りリール１０の上面周縁に突出する上ドラム１５に連結されるとともに、上ドラム１５に巻き戻し自在に巻回される。一方、巻き取りリール１０は下面周縁に突出する下ドラム１６内に収められたぜんまいばね１７によって上ドラム１５の外周へ紐体２を巻き取る方向へ回転付勢されている。また下ドラム１６の外周には周方向に沿って複数の係止凹所１８が略等間隔に形成され、ボディ３ａ底面に一端を取り付けたストッパばね１１が各係止凹所１８を含む下ドラム１６外周面に弾接しており、巻き取りリール１０が紐体２を解く方向に回転するとき、すなわち、ぜんまいばね１７のばね力に抗して回転するときは、各係止凹所１８にストッパばね１１が係止されることなく、巻き取りリール１０が回転し、巻き取りリール１０が紐体２を巻き付ける方向に回転するとき、すなわち、ぜんまいばね１７のばね力にて回転するときは、係止凹所１８内にストッパばね１１先端が嵌入して、巻き取りリール１０の回転を規制する。すなわち、使用時において、本体３をもって下向きに引っ張る場合、巻き取りリール１０が自由に回転して紐体２が巻き取りリール１０より解かれ、本体３への引き下げ力を取り除いた場合、ぜんまいばね１７によりストッパばね１１が最も近い位置の係止凹所１８に係止するまで巻き取りリール１０が紐体２を巻き取る方向に回転した後、係止凹所１８にストッパばね１１が嵌入する位置に停止して、本体３が天井より任意の長さ引き下ろされた位置に保持される。
【００１３】
巻き取りリール１０の規制を解除するためのカム軸１２は、カバー３ｂ内面に突出するボス筒１９内に挿通され後端がカバー３ｂ外面に露出する押釦２０にて連結され、コイルばね２１によってカバー３ｂ外方にばね付勢されている。このカム軸１２の先端部はストッパばね１１の中央に延出した鉤片２２内に嵌入され、コイルばね２１のばね力に抗してカム軸１２を内側に押し込むと、カム軸１２先端がストッパばね１１を巻き取りリール１０との係合を外すように押し開き、巻き取りリール１０がぜんまいばね１７のばね力によってその外周に紐体２を巻き取る方向に回転する。すなわち、カバー３ｂ外面に露出する押釦２０を押し込むと、巻き取りリール１０の規制が解除され、それまで所定の長さだけ本体３から引き出されていた紐体２が巻き取りリール１０へ巻き取られて本体３が天井近くまで上昇するのである。
【００１４】
本体３内に収納されるコンセント部７は大角連用形配線器具のコンセントと同一構造であって、合成樹脂成形品からなる器具本体７０の前面に複数の刃受穴７１が設けられ、各刃受穴７１に差し込まれる差込プラグの栓刃を受ける複数の刃受（図示せず）と、刃受を電源カールコード５と電気的に接続するための端子（図示せず）とを器具本体７０内に収納して構成されている。このコンセント部７は、大角連用形配線器具の取付枠に取り付けるための固着部７２を用いて本体３に固定される。
【００１５】
同じく本体３内に収納される光レセプタクル部６は、角筒状に形成されたハウジング６０と、ハウジング６０内に収納されるスリーブ（図示せず）とで構成される（図３及び図４参照）。ハウジング６０の軸方向における前後両端面には各々光コネクタプラグ（以下、光プラグと略す。）が差し込まれる差込孔６０ａ，６０ｂが開口している。後端面の差込孔６０ｂには光カールコード４の先端に付設されている光プラグが差し込まれ、図示しないロック機構によって光プラグがハウジング６０に対して抜け止めされる。そして、前端面の差込孔６０ａに差し込まれるＳＣ形の光プラグと前記光プラグとがスリーブを介して光学的に接続されるのである。また、光レセプタクル部６の前端側には固定用カバー６１が取り付けられる。この固定用カバー６１は大角連用形配線器具と同一形状であって、差込孔６０ａを開放するための窓孔６２ａがボス部６２の前面に設けられるとともに取付枠に取り付けるための固着部６３がボス部６２を挟んだ両端部に設けられている。また、固定用カバー６１の内側には先端部に係止爪６４ａを有する一対の係止片６４，６４が後方に向かって突設されており、ハウジング６０の前端面をボス部６２の前端面裏側に当接するようにして光レセプタクル部６を固定用カバー６１内に押し込むことで各係止片６４，６４の先端部に設けられている係止爪６４ａ，６４ａがハウジング６０に係止されてハウジング６０と固定用カバー６１とが結合される。なお、このように構成される光レセプタクル部６は、コンセント部７と同様に固着部６３を用いて本体３に固定される。
【００１６】
而して、本実施形態では情報通信用の媒体として光ファイバ（光カールコード４）を用いているため、給電用のライン（電源カールコード５）との間で互いにノイズの影響を及ぼし合う虞がないから、ノイズの影響を回避しつつ給電と情報通信の双方が両立可能であり、しかも、光カールコード４を電源カールコード５の内側に挿通しているから、光カールコード４を保護して耐久性の向上が図れるという利点がある。なお、光カールコード４と電源カールコード５を用いる代わりに、光ファイバと電源線を共通のシースで被覆してなる光・電源線複合コードを用いても構わない。
【図面の簡単な説明】
【００１７】
【図１】本発明の実施形態を示し、（ａ）は正面図、（ｂ）は本体の下面図である。
【図２】同上における一部省略した本体を示し、（ａ）は切り欠き側面図、（ｂ）は縦断面図である。
【図３】同上における光レセプタクル部を示し、（ａ）は正面図、（ｂ）は右側面図、（ｃ）は背面図、（ｄ）は下面図である。
【図４】同上における光レセプタクル部を示し、（ａ）は斜視図、（ｂ）は分解斜視図である。
【符号の説明】
【００１８】
１  支持体
２  紐体
３  本体
４  光カールコード
５  電源カールコード
６  光レセプタクル部
７  コンセント部
【図１】
0004635878.tif 000002
【図２】
0004635878.tif 000003
【図３】
0004635878.tif 000004
【図４】
0004635878.tif 000005